(57)【要約】  特定の移動端末１２が、接続を開始したい移動端末１２の存在を示す接続開始移動端末存在メッセージであって特定の移動端末１２に特有の情報を有する第１メッセージを、ハイブリッドセル対応基地局１１に対して、送信し、ハイブリッドセル対応基地局１１が、第１メッセージを受信すると、ハイブリッドセル対応基地局１１は特定の移動端末１２に対して、接続開始移動端末存在メッセージに対する第１応答メッセージを送信する。
2013084347.tif 000002
【特許請求の範囲】
【請求項１】
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージであって前記特定の移動端末に特有の情報を有する第１メッセージを、前記基地局に対して、送信し、
前記基地局が、前記第１メッセージを受信すると、前記基地局は前記特定の移動端末に対して、接続開始移動端末存在メッセージに対する第１応答メッセージを送信することを特徴とする、無線通信システム。
【請求項２】
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージであって前記特定の移動端末に特有の情報を有する第１メッセージを、前記基地局に対して、送信し、
前記基地局が、前記第１メッセージを受信すると、前記基地局は前記特定の移動端末に対して、接続開始移動端末存在メッセージに対する第１応答メッセージを送信し、
さらに前記特定の移動端末が、前記第１応答メッセージを受信したあとに、無線リソース割り当て要求メッセージであって前記特定の移動端末に特有の情報を有する第２メッセージを、前記基地局に対して、送信し、
前記基地局が、前記第２メッセージを受信すると、前記基地局は前記特定の移動端末に対して、無線リソース割り当て要求メッセージに対する第２応答メッセージを送信することを特徴とする、無線通信システム。
【請求項３】
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージの送信後に前記接続開始移動端末存在メッセージに対する応答メッセージを受信した場合に、無線リソース割り当て要求メッセージであって前記特定の移動端末に特有の情報を有する第２メッセージを、前記基地局に対して、送信し、
前記基地局が、前記第２メッセージを受信すると、前記基地局は前記特定の移動端末に対して、無線リソース割り当て要求メッセージに対する第２応答メッセージを送信することを特徴とする、無線通信システム。
【請求項４】
前記基地局が、前記第１メッセージ作成用の報知メッセージを送信し、
前記特定の移動端末が、受信した前記報知メッセージに基づいて、前記第１メッセージを作成し、その後、作成した前記第１メッセージを、前記基地局に対して、送信することを特徴とする、請求項１又は請求項２に記載の無線通信システム。
【請求項５】
前記基地局が、前記第１メッセージ作成用の報知メッセージに関する情報を記憶する記憶部を有することを特徴とする、請求項４に記載の無線通信システム。
【請求項６】
前記特定の移動端末が、前記第１メッセージ作成用情報を記憶する記憶部を有することを特徴とする、請求項１又は請求項２に記載の無線通信システム。
【請求項７】
請求項１記載の無線通信システムに用いられる特定の移動端末であって、
接続を開始したい移動端末の存在を示す接続開始移動端末存在を示す接続開始移動端末存在メッセージであって前記特定の移動端末に特有の情報を有する第１メッセージを作成する第１メッセージ作成部と、
前記第１メッセージ作成部で作成された前記第１メッセージを前記基地局に対して送信する送信部とをそなえて構成されたことを特徴とする、移動端末。
【請求項８】
請求項２記載の無線通信システムに用いられる特定の移動端末であって、
接続を開始したい移動端末の存在を示す接続開始移動端末存在を示す接続開始移動端末存在メッセージであって前記特定の移動端末に特有の情報を有する第１メッセージを作成する第１メッセージ作成部と、
前記第１メッセージ作成部で作成された前記第１メッセージを前記基地局に対して送信する送信部とをそなえ、
さらに、前記第１応答メッセージを該基地局から受信したあとに、無線リソース割り当て要求メッセージであって前記特定の移動端末に特有の情報を有する第２メッセージを作成する第２メッセージ作成部と、
前記第２メッセージ作成部で作成された前記第２メッセージを、前記基地局に対して、送信する送信部とをそなえて構成されたことを特徴とする、移動端末。
【請求項９】
請求項３記載の無線通信システムに用いられる特定の移動端末であって、
接続を開始したい移動端末の存在を示す接続開始移動端末存在メッセージの送信後に該接続開始移動端末存在メッセージに対する応答メッセージを受信した場合に、無線リソース割り当て要求メッセージであって前記特定の移動端末に特有の情報を有する第２メッセージを作成する第２メッセージ作成部と、
前記第２メッセージ作成部で作成された前記第２メッセージを、前記基地局に対して、送信する送信部とをそなえて構成されたことを特徴とする、移動端末。
【請求項１０】
前記第１メッセージ作成部が、前記基地局から送信されてくる、前記第１メッセージ作成用の報知メッセージに関する情報を用いて、前記第１メッセージを作成するように構成されたことを特徴とする、請求項７又は請求項８に記載の移動端末。
【請求項１１】
第１メッセージ作成用情報を記憶する記憶部を有し、
前記第１メッセージ作成部が、前記記憶部に記憶されている前記第１メッセージ作成用情報を用いて、前記第１メッセージを作成するように構成されたことを特徴とする、請求項７又は請求項８に記載の移動端末。
【請求項１２】
前記記憶部が、前記特定の移動端末に対して着脱自在の記憶部として構成されていることを特徴とする、請求項１１に記載の移動端末。
【請求項１３】
請求項１記載の無線通信システムに用いられる基地局であって、
前記第１メッセージを受信する受信部と、
前記受信部で前記第１メッセージを受信すると、前記特定の移動端末に対して、接続開始移動端末存在メッセージに対する第１応答メッセージを送信する送信部とをそなえて構成されたことを特徴とする、基地局。
【請求項１４】
請求項２記載の無線通信システムに用いられる基地局であって、
前記第１メッセージを受信する受信部と、
前記受信部で前記第１メッセージを受信すると、前記特定の移動端末に対して、接続開始移動端末存在メッセージに対する第１応答メッセージを送信する送信部とを備えるともに、
さらに前記該第２メッセージを受信する受信部と、
前記受信部で前記第２メッセージを受信すると、前記特定の移動端末に対して、無線リソース割り当て要求メッセージに対する第２応答メッセージを送信する送信部とをそなえて構成されたことを特徴とする、基地局。
【請求項１５】
請求項３記載の無線通信システムに用いられる基地局であって、
前記該第２メッセージを受信する受信部と、
前記受信部で前記第２メッセージを受信すると、前記特定の移動端末に対して、無線リソース割り当て要求メッセージに対する第２応答メッセージを送信する送信部とをそなえて構成されたことを特徴とする、基地局。
【請求項１６】
前記第１メッセージ作成用の報知メッセージに関する情報を記憶する記憶部を有するとともに、前記記憶部に記憶されている上記の第１メッセージ作成用の報知メッセージに関する情報に基づいて上記の第１メッセージ作成用の報知メッセージを送信する送信部を有することを特徴とする、請求項１３又は請求項１４に記載の基地局。
【請求項１７】
請求項１１記載の移動端末に用いられる記憶装置であって、
前記第１メッセージ作成用情報を記憶する記憶部をそなえ、
前記記憶部が、前記第１メッセージ作成用情報を保持可能なディレクトリ構造を有していることを特徴とする、移動端末用記憶装置。
【発明の詳細な説明】
【技術分野】
【０００１】
本発明は、無線通信システム、移動端末、基地局及び移動端末用記憶装置に関する。
【背景技術】
【０００２】
従来の無線通信システムでは、無線基地局（以下、単に基地局ともいう）がサービスエリアをカバーするように計画的に設置される。サービスエリアに在圏する移動端末（以下、単に移動端末ともいう）が複数存在する場合、基地局と通信を行なうための無線リソースは各移動端末間で共有される。なお、このようなサービスエリアをマクロセルという。
一方、近年、個人宅や企業などにおいて、特定の移動端末のみアクセス可能な基地局を適宜設けることが検討されている。【０００３】
例えば、Long Term Evolution（ＬＴＥ）リリース８においては、上記のマクロセルに加え、数メートルから数十メートル数メートルから十数メートル程度の比較的狭い範囲をカバレッジとするフェムトセルが仕様化されている。
このようなフェムトセルとして、あらかじめ登録された移動端末の集まりであるＣＳＧ（Closed Subscriber Group）に属する移動端末のみにアクセスを許可するセル（ＣＳＧセル）が仕様化されている。【０００４】
当然、ＣＳＧセルに属さない移動端末はＣＳＧセルにアクセスすることができないが、ＣＳＧセルに属さない移動端末であっても、ＣＳＧセルにアクセスできれば利便性が高い。例えば、マクロセルの周辺においては、マクロセルよりもＣＳＧセルに接続するほうが高通信品質を得られることがある。また、基地局の無線リソースを有効に活用することもできる。【０００５】
このため、ＬＴＥリリース９においては、ＣＳＧに属する移動端末のみならずＣＳＧに属さない移動端末に対してもアクセス可能とするセル（ハイブリッドセル）が仕様化されている。
ハイブリッドセルでは、ＣＳＧに属さない移動端末は、ＱｏＳ（Quality of Service）制御やサービス面において制約を受けるが、マクロセルにアクセスするのと同様にＣＳＧセルにアクセスすることが可能となる。【０００６】
ＣＳＧセル及びハイブリッドセルは、自身がＣＳＧセルであることを移動端末に通知するため、周囲の全移動端末に対して、報知情報として固有の識別子（ＣＳＧＩＤ；csg-Identity）を送信する。
移動端末は、当該固有の識別子の内容を確認することで、受信した報知情報が、ＣＳＧセル又はハイブリッドセルからのものであるか否かを認識する。【０００７】
具体的には、移動端末は、基地局が送信した報知情報におけるＳＩＢ１（system information block type1）に含まれるブーリアン（ＢＯＯＬＥＡＮ）型パラメータのcsg-Indicationによって、その基地局がハイブリッドセルであるかＣＳＧセルであるかを判断する。
図１は、基地局から送信される報知情報ＳＩＢ１に含まれる情報の一例を示す図である。【０００８】
各移動端末は、例えば、各移動端末に内蔵された記憶装置内に、自身がアクセス可能なＣＳＧセル又はハイブリッドセルに対応するＣＳＧＩＤのリスト（ＣＳＧホワイトリスト）を保持する。
各移動端末は、近傍のＣＳＧセル又はハイブリッドセルからの報知情報に含まれるＣＳＧＩＤと自身の持つＣＳＧホワイトリストを参照することにより、自身が当該ＣＳＧセル又はハイブリッドセルのＣＳＧに属するか否かを判断する。【０００９】
マクロセルに在圏している移動端末が、マクロセルとの無線リソース制御接続（RRC（Radio Resource Control）CONNECTED）状態でＣＳＧセル又はハイブリッドセルのカバレッジに入った場合、図２に示す手順でそのＣＳＧセル又はハイブリッドセルへのハンドオーバを実行する。
図２は、RRC CONNECTED状態における、移動端末のＣＳＧセル又はハイブリッドセルへのハンドオーバの手順を示す図である。【００１０】
まず、ＣＳＧセル又はハイブリッドセルが周囲に存在するマクロセルは、周囲に存在するセルについての情報（Report Proximity Config）を含む情報（RRC Reconfiguration）を、自身に接続している移動端末に送信する（ステップＳ１００１）。
次に、RRC Reconfigurationを受信した移動端末は、周囲のセルの報知情報から近傍セルのＣＳＧＩＤを読み取る。【００１１】
そして、報知情報から近傍セルのＣＳＧＩＤを読み取った移動端末は、自身の持つＣＳＧホワイトリストを参照し、近傍に自身がアクセス可能なＣＳＧセル又はハイブリッドセルが存在すると判断した場合、そのことを示すメッセージであるenteringをProximity Indicationにてマクロセルに送信する（ステップＳ１００２）。
次に、Proximity Indicationを受信したマクロセルは、移動端末がＣＳＧセル又はハイブリッドセルのセル情報を測定するために必要な情報であるMeasurement Configを、RRC Reconfigurationで移動端末に送信する（ステップＳ１００３）。【００１２】
そして、RRC Reconfigurationを受信した移動端末は、ハンドオーバの契機となる事象が発生した場合、ＣＳＧセル又はハイブリッドセルの報知情報から当該セルのＰＣＩ（Physical Cell ID）を読み取り、ＰＣＩを含むMeasurement Reportをマクロセルに送信する（ステップＳ１００４）。
次に、Measurement Reportを受信したマクロセルは、報告されたＰＣＩがＣＳＧセル又はハイブリッドセルのものであると判断すると、SI（System Information）Requestを含むRRC Reconfigurationを移動端末に送信する（ステップＳ１００５）。【００１３】
そして、RRC Reconfigurationを受信した移動端末は、ＣＳＧセル又はハイブリッドセルの報知情報のＳＩを読み取る（ステップＳ１００６）。
次に、報知情報のＳＩを読み取った移動端末は、ＣＳＧセル又はハイブリッドセルのＣＧＩ（Cell Global ID）、ＴＡＩ（Tracking Area ID）及びＣＳＧＩＤなどを含む
Measurement Reportをマクロセルに送信する（ステップＳ１００７）。【００１４】
そして、Measurement Reportを受信したマクロセルはＭＭＥ（Mobility Management Entity）に対してハンドオーバリクエストを送信し（ステップＳ１００８）、ハンドオーバ手順を実行する（ステップＳ１００９）。なお、上記の手順は、例えば、下記の非特許文献１において規定される。。
一方、移動端末が、無線リソース制御アイドル（RRC IDLE）状態からセルへの接続を行なう場合、移動端末は、接続しようとしているセルがＣＳＧセルであるか否かにかかわらず、図３に示す手順で、ランダムアクセスプロシージャ（Random Access Procedure）の一つである初期アクセス（Initial Access）を行なう。【００１５】
無線通信システムにおいては、基地局と移動端末とが通信を開始するにあたり、移動端末が基地局に対して送信を開始する際に用いられるチャネルが用意される。３ＧＰＰにおいては、このチャネルをランダムアクセスチャネル（ＲＡＣＨ）と呼び、ＲＡＣＨによる通信開始手順をランダムアクセス（ＲＡ）と呼ぶ。
詳細には、基地局及び移動端末は、通信を開始する場合に、ランダムアクセスプロシージャと呼ばれる通信手順を行うことにより、基地局と移動端末との間の接続状態を確立する、すなわち、基地局と移動端末との間の通信の設定を行う。ここで、ランダムアクセスプロシージャにおいて、移動端末が最初に基地局に送信する信号は、Random Access（RA）Preambleと呼ばれる。【００１６】
図３は、RRC IDLE状態における、移動端末の初期アクセスの手順を示す図である。
まず、移動端末はセルへの接続を試みるにあたり、接続を所望するセルから送信される報知情報を読み取る。
次に、移動端末は、読み取った報知情報に含まれるprach-Configに基づいてRA Preambleを生成し、セルへ送信する（ステップＳ１０１１）。【００１７】
そして、移動端末からRA Preambleを受信したセルは、移動端末を受け入れ可能であれば、その移動端末に対してRA Responseを送信する（ステップＳ１０１２）。
次に、セルからRA Responseを受信した移動端末は、セルと無線リソース制御接続（RRC Connection）を確立するためのRRC Connection Requestを送信する（ステップＳ１０１３）。このRRC Connection Requestは、基地局と接続したい移動端末が、基地局に対して無線リソースの割り当てを要求するためのメッセージである。【００１８】
そして、移動端末からRRC Connection Requestを受信したセルは、移動端末にRRC Connection Setupを送信する（ステップＳ１０１４）。
次に、セルからRRC Connection Setupを受信した移動端末は、基地局にRRC Connection Setup Completeを送信し、無線リソース制御接続を確立する（ステップＳ１０１５）。
そして、移動端末からRRC Connection Setup Completeを受信した基地局は、ＨＳＳ（Home Subscriber Server）などの認証装置を含むコアネットワークにInitial UE（User Equipment）messageを送信する（ステップＳ１０１６）。なお、上記の手順は、例えば、下記の非特許文献２において規定される。【００１９】
前述のように、RA Preambleは、接続を開始したい移動端末が、基地局のカバレッジ内に接続を開始したい移動端末が存在することを、基地局に対して通知するメッセージである。RA Preambleを受信した時点においては、基地局は、基地局と接続を開始したい移動端末が存在することのみしかわからず、その移動端末に関する情報を得ることはできない。つまり、基地局は、当該移動端末が自身のＣＳＧに属する移動端末であるかどうかを判断できない。【００２０】
上述したように、ＣＳＧに属する移動端末が、無線リソース制御接続状態でハイブリッドセルのカバレッジに入り、何らかのハンドオーバ契機が発生した場合、移動端末とセルとは上記の手順でハイブリッドセルへのハンドオーバを実行する。
この時、仮にそのハイブリッドセルにおける無線リソースが既に占有されて（輻輳して）いた場合でも、ハイブリッドセルを持つ基地局は、ＭＭＥなどのコアネットワークの装置と連携し、ＣＳＧに属する移動端末を優先的に受け入れ、ＱｏＳ制御などにおいても優先的に扱うよう要求されている。【００２１】
しかしながら、例えば、ＣＳＧに属する移動端末が、無線リソース制御アイドル状態でハイブリッドセルのカバレッジに入り、その状態からランダムアクセスプロシージャを起動し初期接続を試みようとした場合、輻輳状態にあるハイブリッドセルは、たとえＣＳＧに属さない移動端末からの接続によって輻輳していたとしても、ＣＳＧに属する移動端末からの初期接続を拒否する。【００２２】
即ち、本来優先的に扱われるべきであるはずのＣＳＧに属する移動端末が、ＣＳＧに属さない移動端末の存在によって、初期接続不可能となる。
このため、例えば、ＣＳＧに属さない移動端末のランダムアクセスプロシージャの実行を制限する手法が知られている（下記特許文献１）。
【先行技術文献】
【特許文献】
【００２３】
【特許文献１】特開２０１１−０４１２８１号公報
【非特許文献】
【００２４】
【非特許文献１】3GPP, TS36.300, V9.5.0(2010-09), Subclause10.5.1.2
【非特許文献２】3GPP, TS36.213, V9.3.0(2010-09), Clause6
【発明の概要】
【発明が解決しようとする課題】
【００２５】
しかしながら、上記の手法では、使用できる無線リソースに余裕があるにもかかわらず、ＣＳＧに属さない移動端末のアクセスが制限されてしまうため、基地局の無線リソースを有効に活用することができない。
そこで、本発明は、無線リソースを有効に活用することのできる通信システムを実現することを目的の１つとする。【００２６】
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００２７】
（１）第１の案として、移動端末と、該移動端末に比べ優先的な通信が可能な特定の移動端末と、上記の両移動端末のアクセスを許容する基地局とを有する無線通信システムにおいて、前記特定の移動端末が、接続を開始したい移動端末の存在を示す接続開始移動端末存在メッセージであって前記特定の移動端末に特有の情報を有する第１メッセージを、前記基地局に対して、送信し、前記基地局が、前記第１メッセージを受信すると、前記基地局は前記特定の移動端末に対して、接続開始移動端末存在メッセージに対する第１応答メッセージを送信する、無線通信システムを用いることができる。【００２８】
（２）また、第２の案として、移動端末と、該移動端末に比べ優先的な通信が可能な特定の移動端末と、上記の両移動端末のアクセスを許容する基地局とを有する無線通信システムにおいて、前記特定の移動端末が、接続を開始したい移動端末の存在を示す接続開始移動端末存在メッセージであって前記特定の移動端末に特有の情報を有する第１メッセージを、前記基地局に対して、送信し、前記基地局が、前記第１メッセージを受信すると、前記基地局は前記特定の移動端末に対して、接続開始移動端末存在メッセージに対する第１応答メッセージを送信し、さらに前記特定の移動端末が、前記第１応答メッセージを受信したあとに、無線リソース割り当て要求メッセージであって前記特定の移動端末に特有の情報を有する第２メッセージを、前記基地局に対して、送信し、前記基地局が、前記第２メッセージを受信すると、前記基地局は前記特定の移動端末に対して、無線リソース割り当て要求メッセージに対する第２応答メッセージを送信する、無線通信システムを用いることができる。【００２９】
（３）さらに、第３の案として、移動端末と、該移動端末に比べ優先的な通信が可能な特定の移動端末と、上記の両移動端末のアクセスを許容する基地局とを有する無線通信システムにおいて、前記特定の移動端末が、接続を開始したい移動端末の存在を示す接続開始移動端末存在メッセージの送信後に前記接続開始移動端末存在メッセージに対する応答メッセージを受信した場合に、無線リソース割り当て要求メッセージであって前記特定の移動端末に特有の情報を有する第２メッセージを、前記基地局に対して、送信し、前記基地局が、前記第２メッセージを受信すると、前記基地局は前記特定の移動端末に対して、無線リソース割り当て要求メッセージに対する第２応答メッセージを送信する、無線通信システムを用いることができる。【００３０】
（４）さらに、第４の案として、上記第１の案に係る無線通信システムに用いられる特定の移動端末であって、接続を開始したい移動端末の存在を示す接続開始移動端末存在を示す接続開始移動端末存在メッセージであって前記特定の移動端末に特有の情報を有する第１メッセージを作成する第１メッセージ作成部と、前記第１メッセージ作成部で作成された前記第１メッセージを前記基地局に対して送信する送信部とをそなえて構成された、移動端末を用いることができる。【００３１】
（５）さらに、第５の案として、上記第２の案に係る無線通信システムに用いられる特定の移動端末であって、接続を開始したい移動端末の存在を示す接続開始移動端末存在を示す接続開始移動端末存在メッセージであって前記特定の移動端末に特有の情報を有する第１メッセージを作成する第１メッセージ作成部と、前記第１メッセージ作成部で作成された前記第１メッセージを前記基地局に対して送信する送信部とをそなえ、さらに、前記第１応答メッセージを該基地局から受信したあとに、無線リソース割り当て要求メッセージであって前記特定の移動端末に特有の情報を有する第２メッセージを作成する第２メッセージ作成部と、前記第２メッセージ作成部で作成された前記第２メッセージを、前記基地局に対して、送信する送信部とをそなえて構成された、移動端末を用いることができる。【００３２】
（６）さらに、第６の案として、上記第３の案に係る無線通信システムに用いられる特定の移動端末であって、接続を開始したい移動端末の存在を示す接続開始移動端末存在メッセージの送信後に該接続開始移動端末存在メッセージに対する応答メッセージを受信した場合に、無線リソース割り当て要求メッセージであって前記特定の移動端末に特有の情報を有する第２メッセージを作成する第２メッセージ作成部と、前記第２メッセージ作成部で作成された前記第２メッセージを、前記基地局に対して、送信する送信部とをそなえて構成された、移動端末を用いることができる。【００３３】
（７）さらに、第７の案として、上記第１の案に係る無線通信システムに用いられる基地局であって、前記第１メッセージを受信する受信部と、前記受信部で前記第１メッセージを受信すると、前記特定の移動端末に対して、接続開始移動端末存在メッセージに対する第１応答メッセージを送信する送信部とをそなえて構成された、基地局を用いることができる。【００３４】
（８）さらに、第８の案として、上記第２の案に係る無線通信システムに用いられる基地局であって、前記第１メッセージを受信する受信部と、前記受信部で前記第１メッセージを受信すると、前記特定の移動端末に対して、接続開始移動端末存在メッセージに対する第１応答メッセージを送信する送信部とを備えるともに、さらに前記該第２メッセージを受信する受信部と、前記受信部で前記第２メッセージを受信すると、前記特定の移動端末に対して、無線リソース割り当て要求メッセージに対する第２応答メッセージを送信する送信部とをそなえて構成された、基地局を用いることができる。【００３５】
（９）さらに、第９の案として、上記第３の案に係る無線通信システムに用いられる基地局であって、前記該第２メッセージを受信する受信部と、前記受信部で前記第２メッセージを受信すると、前記特定の移動端末に対して、無線リソース割り当て要求メッセージに対する第２応答メッセージを送信する送信部とをそなえて構成された、基地局を用いることができる。【００３６】
（１０）さらに、第１０の案として、上記第１又は第２の案に係る移動端末に用いられる記憶装置であって、前記第１メッセージ作成用情報を記憶する記憶部をそなえ、前記記憶部が、前記第１メッセージ作成用情報を保持可能なディレクトリ構造を有している、移動端末用記憶装置を用いることができる。
【発明の効果】
【００３７】
上記案によれば、特定の移動端末を他の移動端末に比べて優先的に接続可能としながら、全体として基地局の無線リソースを有効に活用することが可能となる。
【図面の簡単な説明】
【００３８】
【図１】基地局から送信される報知情報ＳＩＢ１に含まれる情報の一例を示す図である。
【図２】RRC CONNECTED状態における、移動端末のＣＳＧセル又はハイブリッドセルへのハンドオーバの手順を示す図である。
【図３】RRC IDLE状態における、移動端末の初期アクセスの手順を示す図である。
【図４】第１実施形態に係る無線通信システムの構成の一例を示す図である。
【図５】第１実施形態に係るハイブリッドセル対応基地局の動作フローの一例を示すフローチャートである。
【図６】第１実施形態に係るハイブリッドセル対応基地局の機能構成の一例を示すブロック図である。
【図７】第１実施形態に係る移動端末の機能構成の一例を示すブロック図である。
【図８】（Ａ）〜（Ｃ）は、第１実施形態に係るハイブリッドセル対応基地局が送信する報知情報ＳＩＢ２の内容の一例を示す図である。
【図９】第１実施形態に係るハイブリッドセル対応基地局（ハイブリッドセル）と移動端末との間における処理フローの一例を示す図である。
【図１０】第１実施形態に係る移動端末のコアネットワークへの接続フローを示す図である。
【図１１】（Ａ）〜（Ｃ）は、第１実施形態の第１変形例に係るハイブリッドセル対応基地局が送信する報知情報ＳＩＢ２の内容の一例を示す図である。
【図１２】第１実施形態の第１変形例に係るハイブリッドセル対応基地局の機能構成の一例を示すブロック図である。
【図１３】第１実施形態の第１変形例に係る移動端末の機能構成の一例を示すブロック図である。
【図１４】第１実施形態の第１変形例に係るハイブリッドセル対応基地局（ハイブリッドセル）と移動端末との間における処理フローの一例を示す図である。
【図１５】第１実施形態の第２変形例に係るハイブリッドセル対応基地局の機能構成の一例を示すブロック図である。
【図１６】第１実施形態の第２変形例に係る移動端末の機能構成の一例を示すブロック図である。
【図１７】第１実施形態の第２変形例に係るＵＳＩＭの構成例を示す図である。
【図１８】第１実施形態の第２変形例に係るEF_ACSGの構成例を示す図である。
【図１９】第１実施形態の第２変形例に係るCSG Lists TLV objectの例を示す図である。
【図２０】第１実施形態の第２変形例に係るCSG Informationの例を示す図である。
【図２１】第１実施形態の第２変形例に係るメモリ構成例を示す図である。
【図２２】第１実施形態の第２変形例に係るハイブリッドセル対応基地局（ハイブリッドセル）と移動端末との間における処理フローの一例を示す図である。
【図２３】第２実施形態に係るハイブリッドセル対応基地局の動作フローの一例を示すフローチャートである。
【図２４】第２実施形態に係るハイブリッドセル対応基地局の機能構成の一例を示すブロック図である。
【図２５】第２実施形態に係る移動端末の機能構成の一例を示すブロック図である。
【図２６】（Ａ）〜（Ｄ）は、第２実施形態に係るRRC Connection Requestの一例を示す図である。
【図２７】（Ａ）〜（Ｃ）は、第２実施形態に係るRRC Connection SetupCompleteの一例を示す。
【図２８】第２実施形態に係るハイブリッドセル対応基地局（ハイブリッドセル）と移動端末との間における処理フローの一例を示す図である。
【図２９】第２実施形態に係る移動端末のコアネットワークへの接続フローを示す図である。
【図３０】第３実施形態に係るハイブリッドセル対応基地局の機能構成の一例を示すブロック図である。
【図３１】第３実施形態に係る移動端末の機能構成の一例を示すブロック図である。
【図３２】第３実施形態に係る移動端末のコアネットワークへの接続フローを示す図である。
【発明を実施するための形態】
【００３９】
以下、図面を参照して本発明の実施の形態を説明する。ただし、以下に示す実施の形態は、あくまでも例示に過ぎず、以下に示す各実施形態及び変形例で明示しない種々の変形や技術の適用を排除する意図はない。即ち、各実施形態及び変形例を、本発明の趣旨を逸脱しない範囲で種々変形して実施できることはいうまでもない。
〔１〕第１実施形態
＜概要＞
図４は、第１実施形態に係る無線通信システムの構成の一例を示す図である。
【００４０】
なお、本実施形態では、ＬＴＥ方式の無線（移動）通信システムを例に挙げて説明するが、本実施形態は、他方式の無線通信システムにも適用可能である。
図４に示す無線通信システム１０は、例示的に、ハイブリッドセル１５に対応する基地局（以下、ハイブリッドセル対応基地局、あるいは単に基地局という）１１と、ハイブリッドセル１５のＣＳＧ（Closed Subscriber Group）に属する移動端末（以下、優先端末あるいは特定の移動端末ともいう）１２と、ハイブリッドセル１５のＣＳＧに属さない移動端末（以下、非優先端末あるいは移動端末ともいう）１３と、マクロセル１６に対応する基地局１４とを備える。なお、優先端末１２と非優先端末１３とを特に区別しない場合、単に移動端末と表記する。
【００４１】
本実施形態においては、ハイブリッドセル対応基地局１１において輻輳状態が発生している状況において、優先端末１２が非優先端末１３よりも優先的にハイブリッドセル１５への接続が許可される。
このため、本実施形態においては、ハイブリッドセル対応基地局１１は、当該基地局１１が送信する報知情報のＳＩＢ２（system information block type2）に、通常使用されるPRACH-ConfigSIBに代えて、PRACH-ConfigSIB-Hybridを使用して、報知情報を送信する。
【００４２】
報知情報を受信した移動端末は、自身が、ハイブリッドセル対応基地局１１のＣＳＧに属する優先端末１２である場合には、報知情報のＳＩＢ２に含まれるPRACH-ConfigSIB-Hybridに基づいて特殊なRA Preamble（このRA Preambleは、特定の移動端末が送信する第１メッセージに相当する）を生成し、ハイブリッドセル対応基地局１１に送信する。
このようにして、RRC IDLE状態において、優先端末１２及び非優先端末１３がハイブリッドセル１５への初期接続を行なう際、優先端末１２は、非優先端末１３が送信するRA Preambleとは異なる特殊なRA Preambleを送信する。
【００４３】
ハイブリッドセル対応基地局１１は、その特殊なRA Preambleを受信することで、そのRA Preambleを送信した移動端末が自身のＣＳＧに属する優先端末１２であると判断する。
図５は、図４に示したハイブリッドセル対応基地局１１の動作フローの一例を示すフローチャートである。
ハイブリッドセル対応基地局１１は、優先端末１２又は非優先端末１３からRA Preambleを受信すると(ステップＳ１０１)、自身が現在輻輳状態であるかどうかを判定する（ステップＳ１０２）。
【００４４】
ここで、基地局１１が輻輳状態でなければ（ステップＳ１０２のＮｏルート）、基地局１１は、ステップＳ１０１において受信したRA Preambleを送信した移動端末が優先端末１２であるか非優先端末１３であるかにかかわらず、当該移動端末に対してRA Responseを送信する（ステップＳ１０３）。
一方、基地局１１が輻輳状態であれば（ステップＳ１０２のＹｅｓルート）、基地局１１は、ステップＳ１０１において受信したRA Preambleが、優先端末１２によって送信される特殊なRA Preambleであるか否かを判定する（ステップＳ１０４）。
【００４５】
ここで、基地局１１が特殊なRA Preambleを受信したと判定した場合（ステップＳ１０４のＹｅｓルート）、基地局１１は、特殊なRA Preambleを送信した移動端末が、優先端末１２であると判断し、その移動端末に対しRA Response（このRA Responseは、第１応答メッセージに相当する）を送信する（ステップＳ１０５）。これにより、ハイブリッドセル対応基地局１１と有線移動端末１２とは、例えば、図３のＳ１０１３以降のステップに移行することができ、初期接続を完了することができる。
【００４６】
一方、ステップＳ１０４において、基地局１１が特殊なRA Preambleを受信したと判定しなかった場合（ステップＳ１０４のＮｏルート）、基地局１１は、RA Preambleを送信した移動端末が非優先端末であると判断し、RA Responseの送信を行なわない（ステップＳ１０６）。
＜構成＞
図６は、本実施形態におけるハイブリッドセル対応基地局１１の機能構成の一例を示すブロック図である。
【００４７】
図６に示すハイブリッドセル対応基地局１１は、一例として、ＤＳＰ（digital signal processor）１０１、ＣＰＵ（central processing unit）１０２、有線接続部１０３、メモリ１０４、ＲＦ（radio frequency）部１０５及び無線アンテナ１１１を備える。
ＤＳＰ１０１は、リアルタイム処理を行なうプロセッサであり、無線通信のスケジューリングなど、有線通信及び無線通信に係る所定の通信処理を行なう通信処理部１０６と、無線信号に含まれる情報を測定する無線信号測定部１１０とを備える。
【００４８】
ＣＰＵ１０２は、非リアルタイム処理を行なうプロセッサであり、例えば、メモリ１０４に格納されているプログラムを実行することにより各種処理を実行する。ＣＰＵ１０２は、情報の内部処理を行なう情報処理部１０７を備える。
有線接続部１０３は、有線ネットワークとの接続を行ない、例えば、イーサネット（登録商標）のアダプタ等である。
【００４９】
メモリ１０４は、ＣＳＧハイブリッドセル対応基地局１１において処理される情報を必要に応じて記憶する情報記憶部１０８を有する。情報記憶部１０８は、図８（Ａ）〜（Ｃ）を参照して後述するＳＩＢ情報１１４を記憶している。メモリ１０４としては、例えば、ＲＡＭ、ＲＯＭ、不揮発性メモリ、揮発性メモリなど、既存のどのようなメモリを使用することができる。また、複数種類のメモリを備えていてもよい。
【００５０】
ＲＦ部１０５は、無線通信を行なうために、後述する無線アンテナ１１１を介して送受信された無線信号の送受信処理を行なう無線信号送受信部１０９を備える。
無線アンテナ１１１は、例えば、移動端末１２，１３、他の基地局、不図示のＭＭＥとの間で無線信号の送受信を行なう。
本実施形態においては、本実施形態における動作を実現するために、ＤＳＰ１０１の無線信号測定部１１０は、RA Preamble判定部１１２（このRA Preamble判定部１１２は、前述の無線信号送受信部１０９とともに第１メッセージを受信する受信部に相当する）を備える。このRA Preamble判定部１１２は、通常のRA Preambleとは別に、移動端末１２によって生成され、移動端末１２がＣＳＧに属することを示す特殊なRA Preambleを受信する。
【００５１】
さらに、ＤＳＰ１０１の無線信号測定部１１０は、移動端末から受信したRA Preambleが特殊なRA Preambleであった場合、輻輳制御を行わずに、そのRA Preambleの送信元の移動端末１２にRA Responseを送信するRA Response送信決定部１１３（このRA Response送信決定部１１３は、前述の無線信号送受信部１０９とともに送信部に相当する）を備える。
【００５２】
図７は、本実施形態における移動端末１２の機能構成の一例を示すブロックである。
図７に示す移動端末１２は、一例として、ＦＰＧＡ（field programmable gate array）２０１、ＣＰＵ２０２、ＵＳＩＭ（universal subscriber identity module）２０３、メモリ２０４、ＲＦ部２０５及び無線アンテナ２１１を備える。
ＦＰＧＡ２０１は、リアルタイム処理を行なうプロセッサであり、無線通信のスケジューリングなど無線通信に係る所定の通信処理を行なう信号処理部２０６と、無線信号に含まれる情報を測定する無線信号測定部２１０とを備える。
【００５３】
ＣＰＵ２０２は、非リアルタイム処理を行なうプロセッサであり、例えば、メモリ２０４に格納されているプログラムを実行することにより各種処理を実行する。ＣＰＵ２０２は、情報の内部処理を行なう情報処理部２０７を備える。
ＵＳＩＭ２０３は、移動端末の利用者を識別するＩＣカードであり、移動端末１２に対して着脱可能である。ＵＳＩＭ２０３は、移動端末１２の電話番号や契約者の情報、無線通信事業者の情報等を記憶している情報記憶部２１１を備える。
【００５４】
メモリ２０４は、移動端末１２において処理される情報を必要に応じて記憶する情報記憶部２０８を有する。メモリ２０４としては、例えば、ＲＡＭ、ＲＯＭ、不揮発性メモリ、揮発性メモリなど、既存のどのようなメモリを使用することができる。また、複数種類のメモリを備えていてもよい。
ＲＦ部２０５は、無線通信を行なうために、後述する無線アンテナ２１１を介して送受信された無線信号の送受信処理を行なう無線信号送受信部２０９（この無線信号送受信部２０９は、送信部及び受信部を構成する）を備える。
【００５５】
無線アンテナ２１１は、例えば、基地局１１，１４との間で無線信号の送受信を行なう。
本実施形態においては、本実施形態における動作を実現するために、ＦＰＧＡ２０１の無線信号測定部２１０は、ＳＩＢ情報読取部２１２を備える。ＳＩＢ情報読取部２１２は、ハイブリッドセル対応基地局１１から送信される報知情報ＳＩＢ２に含まれるPRACH-ConfigSIB-Hybridを読み取る。
【００５６】
さらに、ＦＰＧＡ２０１の通信処理部２０６は、ＳＩＢ情報読取部２１２が読み取ったパラメータを用いて、移動端末１２がＣＳＧに属することを示す特殊なRA Preambleを生成する特殊RA Preamble生成部２１３（この特殊RA Preamble生成部２１３は、第１メッセージ生成部に相当する）を備える。
図８（Ａ）〜（Ｃ）は、本実施形態に係るハイブリッドセル対応基地局が保持し、送信する報知情報ＳＩＢ２の内容の一例を示す図である。図８（Ａ）〜（Ｃ）では、本実施形態において追加された部分を下線で示す。
【００５７】
詳細には、本実施形態においては、ハイブリッドセル１５の報知情報のprach-Configに、通常のセルが使用するPRACH-ConfigSIBとは異なるPRACH-ConfigSIB-Hybridを追加している。この情報は、ハイブリッドセル対応基地局１１のメモリ１０４にＳＩＢ情報１１４として格納されている。
ハイブリッドセル１５からの報知情報を受信可能な全ての移動端末は、ハイブリッドセル１５からの報知情報のＳＩＢ２に含まれるPRACH-ConfigSIBを読み解き、ランダムアクセスプロシージャの最初のメッセージであるRA Preambleを生成するためのrootSequenceIndex、Preamble Format、System frame number及びSubframe numberなどを決定する。そして、移動端末１２が、基地局１１が報知しているＳＩＢ１のＣＳＧＩＤ及びcsg-Indicationから、該当セルが、移動端末自身がＣＳＧに登録されているハイブリッドセルであると判断した場合、移動端末１２は、PRACH-ConfigSIB-Hybridを使用して特殊なRA Preambleを生成する。
【００５８】
＜動作＞
図９は、本実施形態に係るハイブリッドセル対応基地局１１（ハイブリッドセル１５）と移動端末１２との間における処理フローの一例を示す図である。
ハイブリッドセル対応基地局１１の無線信号送受信部１０９は、ハイブリッドセル１５に在圏する移動端末に対して、報知情報用の報知チャネルであるＢＣＣＨ（Broadcast Control Channel）により、報知情報ＳＩＢ１及びＳＩＢ２を送信する（ステップＳ２１，ステップＳ２２及びステップＳ２４）。
【００５９】
移動端末１２は、受信したＳＩＢ１のＣＳＧＩＤから、自身がハイブリッドセルにおける優先端末であるか否かを判定する（ステップＳ２３）。
ステップＳ２３において自身が優先端末であると判定すると、移動端末１２のＳＩＢ情報読取部２１２は、PRACH-ConfigSIBではなくPRACH-Config-Hybridを読み取る（ステップＳ２５）。
【００６０】
次に、移動端末１２の特殊RA Preamble生成部２１３は、PRACH-Config-Hybridから、自身が優先端末であることを示す特殊なRA Preambleを生成する（ステップＳ２６）。移動端末１２の無線信号送受信部２０９は、このRA Preambleをハイブリッドセル対応基地局１１に送信する（ステップＳ２７）。
ハイブリッドセル対応基地局１１のRA Preamble判定部１１２は、受信したRA Preambleが、優先端末１２からの特殊なRA Preambleであると判断する（ステップＳ２８）。そして、ハイブリッドセル対応基地局１１のRA Response送信決定部１１３は、輻輳制御を行なわず、この移動端末１２にRA Responseを送信する（ステップＳ２９，Ｓ３０）。
【００６１】
図１０は、第１実施形態における移動端末１２のコアネットワークへの接続フローを示す図である。
移動端末１２のＳＩＢ情報読取部２１２は、ハイブリッドセル対応基地局１１から送信される報知情報のＳＩＢ２に含まれるPRACH-ConfigSIB-Hybridに基づいて特殊なRA Preambleを生成する。移動端末１２の無線信号送受信部２０９は、このRA Preambleをハイブリッドセル対応基地局１１に送信する（ステップＳ７１）。
【００６２】
ハイブリッドセル対応基地局１１のRA Preamble判定部１１２は、この特殊なRA Preambleを受信すると、このRA Preambleが、自身のＣＳＧに属する移動端末が使用するRA Preambleであると判定する（ステップＳ７２）。
ハイブリッドセル対応基地局１１のRA Response送信決定部１１３は、輻輳制御を行なわず、移動端末１２にRA Responseを送信する（ステップＳ７３）。
【００６３】
移動端末１２は、セルと無線リソース制御接続（RRC Connection）を確立するためのRRC Connection Requestをハイブリッドセル対応基地局１１に送信する（ステップＳ７４）。このRRC Connection Requestは、基地局と接続したい移動端末が、基地局に対して無線リソースの割り当てを要求するためのメッセージである。
移動端末１２からRRC Connection Requestを受信したハイブリッドセル対応基地局１１は、移動端末１２にRRC Connection Setupを送信する（ステップＳ７５）。
【００６４】
次に、ハイブリッドセル対応基地局１１からRRC Connection Setupを受信した移動端末１２は、ＲＲＣ接続のセットアップを行ない、セットアップが完了するとハイブリッドセル対応基地局１１にRRC Connection Setupを送信する（ステップＳ７６）。
移動端末１２からRRC Connection Setup Completeを受信したハイブリッドセル対応基地局１１は、ＨＳＳ（Home Subscriber Server）などの認証装置を含むコアネットワークにInitial UE（User Equipment）messageを送信する（ステップＳ７７）。これにより、移動端末１２とコアナットワーク間のシグナリング接続が確立される。
【００６５】
上述した実施形態によれば、ハイブリッドセル対応基地局１１が通常のRA Preambleとは異なるRA Preambleを受信した場合、優先端末１２によって無線リソースが輻輳していない限り、輻輳制御などを考慮せず、その移動端末に対してRA Responseを送信することができる。これにより、ＣＳＧに属する優先端末１２に対しＣＳＧセルに優先的に接続を許可しながら、全体として基地局１１の無線リソースを有効に活用することができる。
【００６６】
〔１．１〕第１実施形態の第１変形例
上記の第１変形例においては、ハイブリッドセル１５の報知情報のprach-Configに、通常のセルが使用するPRACH-ConfigSIBとは異なるPRACH-ConfigSIB-Hybridを追加したが、本変形例においては、PRACH-ConfigSIB-Hybridの追加を行なわない。詳細には、図１０に示すように、PRACH-ConfigSIB-Hybridを用いる代わりに、PRACH-ConfigSIBに、ハイブリッドセル用のパラメータセットを追加する。
【００６７】
第１変形例の第１変形例のシステム構成は、図４に示した上記の第一実施形態の構成と同じであるため、その図示並びに説明を省略する。
図１１（Ａ）〜（Ｃ）は、本変形例に係るハイブリッドセル対応基地局１１が送信する報知情報ＳＩＢ２  １１４’の内容の一例を示す図である。図１１（Ａ）〜（Ｃ）では、本変形例において追加された部分を下線で示す。
【００６８】
詳細には、本変形例においては、ＳＩＢ２に、rootSequenceIndex-Hybridとprach-ConfigInfo-Hybridとが追加されている。
図１２は、本変形例におけるハイブリッドセル対応基地局１１の機能構成の一例を示すブロック図である。
図１２に示す各種構成要素のうち、図６に示した上記の実施形態と同一の構成要素には同一の符号を付し、その説明を省略する。
【００６９】
本変形例においては、本変形例における動作を実現するために、情報記憶部１０８は、図１１を参照して説明したＳＩＢ情報１１４’を記憶している。
また、ＤＳＰ１０１の無線信号測定部１１０は、RA Preamble判定部１１２’（このRA Preamble判定部１１２’は、前述の無線信号送受信部１０９とともに第１メッセージを受信する受信部に相当する）を備える。このRA Preamble判定部１１２’は、通常のRA Preambleのほかに、移動端末１２が構成し、移動端末１２がＣＳＧに属することを示す特殊なRA Preambleを受信する。
【００７０】
さらに、ＤＳＰ１０１の無線信号測定部１１０は、移動端末から受信したRA Preambleが特殊なRA Preambleであった場合、輻輳制御を行わずに、そのRA Preambleの送信元の移動端末１２にRA Responseを送信するRA Response送信決定部１１３’（このRA Response送信決定部１１３’は、前述の無線信号送受信部１０９とともに送信部に相当する）を備える。
【００７１】
図１３は、本変形例における移動端末１２の機能構成の一例を示すブロックである。
図１３に示す各種構成要素のうち、図７に示した上記の実施形態と同一の構成要素には同一の符号を付し、その説明を省略する。
本変形例においては、本変形例における動作を実現するために、ＦＰＧＡ２０１の無線信号測定部２１０は、ＳＩＢ情報読取部２１２’を備える。ＳＩＢ情報読取部２１２’は、ハイブリッドセル対応基地局１１から送信される報知情報から、ＳＩＢ情報を読み取る。
【００７２】
さらに、ＦＰＧＡ２０１の通信処理部２０６は、ＳＩＢ情報読取部２１２’が読み取ったパラメータを用いて、移動端末１２がＣＳＧに属することを示す特殊なRA Preambleを生成する特殊RA Preamble生成部２１３’（この特殊RA Preamble生成部２１３’は、第１メッセージ生成部に相当する）を備える。
図１４は、本変形例に係るハイブリッドセル対応基地局１１（ハイブリッドセル１５）と移動端末１２との間における処理フローの一例を示す図である。
【００７３】
ハイブリッドセル対応基地局１１の無線信号送受信部１０９は、ハイブリッドセル１５に在圏する移動端末に対して、rootSequenceIndex-Hybrid及びprach-ConfigInfo-Hybridを含む報知情報を送信する（ステップＳ３１，ステップＳ３２及びステップＳ３４）。
移動端末１２は、受信したＳＩＢ１のCSG ID及びcsg-Indicationから、自身がハイブリッドセル１５における優先端末であるか否かを判定する（ステップＳ３３）。
【００７４】
ステップＳ３３において自身が優先端末であると判定すると、移動端末１２のＳＩＢ情報読取部２１２’は、ＳＩＢ２の情報から、rootSequenceIndex-Hybrid及びprach-ConfigInfo-Hybridを読み取る（ステップＳ３５）。
次に、移動端末１２の特殊RA Preamble生成部２１３’は、rootSequenceIndex-Hybrid及びprach-ConfigInfo-Hybridから、自身が優先端末であることを示す特殊なRA Preambleを生成する（ステップＳ３６）。移動端末１２の無線信号送受信部２０９は、このRA Preambleをハイブリッドセル対応基地局１１に送信する（ステップＳ３７）。
【００７５】
ハイブリッドセル対応基地局１１のRA Preamble判定部１１２’は、受信したRA Preambleが、優先端末１２からの特殊なRA Preambleであると判断する（ステップＳ３８）。そして、ハイブリッドセル対応基地局１１のRA Response送信決定部１１３’は、輻輳制御を行なわず、この移動端末１２にRA Responseを送信する（ステップＳ３９，Ｓ４０）。
上述した第１実施形態の第１変形例によれば、ハイブリッドセル対応基地局１１が通常のRA Preambleとは異なるRA Preambleを受信した場合、優先端末１２によって無線リソースが輻輳していない限り、輻輳制御などを考慮せず、その移動端末に対してRA Responseを送信することができる。これにより、上記の第１実施形態と同様にＣＳＧに属する優先端末１２に対しＣＳＧセルに優先的に接続を許可しながら、全体として基地局１１の無線リソースを有効に活用することができる。さらに、PRACH-ConfigSIB-Hybridを追加しないため、ＳＩＢ２の変更が上記の第１実施形態よりも少なくて済むという利点も有する。
【００７６】
〔１．２〕第１実施形態の第２変形例
上記の第１実施形態並びにその第１変形例においては、prach-Config相当のパラメータがハイブリッドセル対応基地局１１に記憶されていたが、本変形例においては、prach-Config相当のパラメータを移動端末１２のＵＳＩＭ２０３あるいはメモリ２０４に保持させる。
【００７７】
図１５は、本変形例におけるハイブリッドセル対応基地局１１の機能構成の一例を示すブロック図である。
図１５に示す各種構成要素のうち、図６に示した上記の実施形態と同一の構成要素には同一の符号を付し、その説明を省略する。
本変形例においては、本変形例における動作を実現するために、ＤＳＰ１０１の無線信号測定部１１０は、RA Preamble判定部１１２”（このRA Preamble判定部１１２”は、前述の無線信号送受信部１０９とともに第１メッセージを受信する受信部に相当する）を備える。このRA Preamble判定部１１２”は、通常のRA Preambleのほかに、移動端末１２が構成し、移動端末１２がＣＳＧに属することを示す特殊なRA Preambleを受信する。
【００７８】
さらに、ＤＳＰ１０１の無線信号測定部１１０は、移動端末から受信したRA Preambleが特殊なRA Preambleであった場合、輻輳制御を行わずに、そのRA Preambleの送信元の移動端末１２にRA Responseを送信するRA Response送信決定部１１３”（このRA Response送信決定部１１３”は、前述の無線信号送受信部１０９とともに送信部に相当する）を備える。
【００７９】
図１６は、本変形例における移動端末１２の機能構成の一例を示すブロックである。
図１６に示す各種構成要素のうち、図７に示した上記の実施形態と同一の構成要素には同一の符号を付し、その説明を省略する。
本変形例においては、本変形例における動作を実現するために、例えば、移動端末１２のＵＳＩＭ２０３の情報記憶部２１１は、事前共有PRACH Config２１５を記憶している。
【００８０】
あるいは、図１６に破線で示すように、メモリ２０４の情報記憶部２１１が、事前共有PRACH Config２１６を記憶していてもよい。
事前共有PRACH Config２１５又は２１６は、移動端末１２をハイブリッドセル１５のＣＳＧに登録する際に、移動端末１２のＵＳＩＭ２０３又はメモリ２０４に記録される。
また、ＦＰＧＡ２０１の無線信号測定部２１０は、事前共有PRACH Config２１５又は２１６を読み取る事前共有PRACH Config読み出し部２１４を備える。
【００８１】
さらに、ＦＰＧＡ２０１の通信処理部２０６は、事前共有PRACH Config読み出し部２１４が読み取ったパラメータを用いて、移動端末１２がＣＳＧに属することを示す特殊なRA Preambleを生成する特殊RA Preamble生成部２１３”（この特殊RA Preamble生成部２１３”は、第１メッセージ生成部に相当する）を備える。
そして、移動端末１２の特殊RA Preamble生成部２１３”は、ハイブリッドセル１５のカバレッジに入ったときに、ハイブリッドセル対応基地局１１からの報知情報に含まれるprach-Configではなく、移動端末１２のＵＳＩＭ２０３又はメモリ２０４に事前に保持しているPRACH Config２１５又は２１６を使用してRA Preambleを生成する。
【００８２】
現在の３ＧＰＰの仕様では、ＵＳＩＭに、ＣＳＧホワイトリストを記載するElementary File（ＥＦ）のEF_ACSGLなどを含むDedicated File（ＤＦ）であるDF_HNBが用意されている。そこで、例えば、このDF_HNBにprach-Configを記載するためのＥＦを追加する。もしくは、EF_ACSGLのTag Length Value（ＴＶＬ）の構造を変更し、prach-Configを追加することも考えられる。
【００８３】
既存のＵＳＩＭの構成にConfig２１５を追加した例を図１７に示す。
図１７に示すように、prach-Config相当のパラメータであるEF_PEACHが、例えば、ADF_USIM → DF_HNB → EF_PRACHというディレクトリ構造に格納される。なお、prach-Config相当のパラメータは、図１７に示す以外のディレクトリ構造や他のどのようなデータ構造に保存されていてもよい。
【００８４】
また、ＵＳＩＭの既存のEF_ACGLにprach-Configを記載するＴＶＬを追加したＥＦ構成を図１８〜図２０に示す。図１８は、EF_ACGLを、図１９はCSG Lists TLV objectを、図２０は、CSG Informationをそれぞれ示す。
図２０に示すように、CSG Informationに、prach-Configを記載するためのPRACH CONFIGを追加することが可能である。
【００８５】
あるいは、図１６に破線で示すように、例えば、prach-configを移動端末１２の不揮発メモリ２０３等に記載することも可能である。移動端末１２のメモリ２０３においては、ＣＳＧは、Allowed CSG Entities → CSG Entity → CSG ID、HNB Name、CSG Typeのようにディレクトリ構造に保存されている。例えば、この一番下の階層にprach-Configを追加することが考えられる。このようにprach-Config２１６を追加したメモリ構成を図２１に示す。
【００８６】
図２２は、本変形例に係るハイブリッドセル対応基地局１１（ハイブリッドセル１５）と移動端末１２との間における処理フローの一例を示す図である。
ＣＳＧ登録時にRA Preamble構成に使用するprach-Configを登録することで、ハイブリッドセル対応基地局１１と移動端末とがprach-Configを事前に共有する（ステップＳ４１）。
【００８７】
ハイブリッドセル対応基地局１１の無線信号送受信部１０９は、ハイブリッドセル１５に在圏する移動端末に対して報知情報を送信する（ステップＳ４２）。
移動端末１２は、受信したＳＩＢ１のＣＳＧＩＤから、自身がハイブリッドセル１５における優先端末であるか否かを判定する（ステップＳ４３）。
ステップＳ４３において自身が優先端末であると判定すると、移動端末１２の事前共有PRACH Config読み出し部２１４は、事前共有PRACH Config２１５又は２１６を読み出す。移動端末１２の特殊RA Preamble生成部２１３”は、事前共有PRACH Config読み出し部２１４が読み出したPRACH-ConfigSIB-Hybridに基づいて、自身が優先端末であることを示す特殊なRA Preambleを生成する（ステップＳ４４）。移動端末１２の無線信号送受信部２０９は、このRA Preambleをハイブリッドセル対応基地局１１に送信する（ステップＳ４５）。
【００８８】
ハイブリッドセル対応基地局１１のRA Preamble判定部１１２”は、受信したRA Preambleが、優先端末１２からの特殊なRA Preambleであると判断する（ステップＳ４６）。そして、ハイブリッドセル対応基地局１１のRA Response送信決定部１１３”は、輻輳制御を行なわず、この移動端末１２にRA Responseを送信する（ステップＳ４６，Ｓ４７）。
なお、上記の第１実施形態の第２変形例においては、事前共有PRACH Configが、ＵＳＩＭ２０３、メモリ２０４のいずれか一方に格納されても、両方に記憶されてもよい。
【００８９】
また、上記の第１実施形態の第２変形例は、ＲＲＣパラメータの構成を変更することなく、基地局１１と移動端末１２のソフトウェアの変更のみで実施することができる。
上述した第１実施形態の第２変形例によれば、ハイブリッドセル対応基地局１１が通常のRA Preambleとは異なるRA Preambleを受信した場合、優先端末１２によって無線リソースが輻輳していない限り、輻輳制御などを考慮せず、その移動端末に対してRA Responseを送信することができる。これにより、上記の第１実施形態及びその第１変形例と同様にＣＳＧに属する優先端末１２に対しＣＳＧセルに優先的に接続を許可しながら、全体として基地局１１の無線リソースを有効に活用することができる。さらに、事前共有PRACH Configが移動端末１２側に記憶されており、相当する情報をハイブリッドセル対応基地局１１から送信する必要がないためネットワークトラフックを低減することができる。また、本第２変形例は、ＲＲＣパラメータの構成を変更することなく、基地局１１と移動端末１２のソフトウェアの変更のみで実施することができる。
【００９０】
〔２〕第２実施形態
＜概要＞
上記の第１実施形態並びにその変形例においては、優先端末１２が特殊なRA Preambleを送信することにより、ハイブリッドセル対応基地局１１が、輻輳状態において優先端末１２に優先的にアクセスを許可していた。しかし、本実施形態では、移動端末１２からRA Preambleを受信したハイブリッドセル対応基地局１１が、当該移動端末がＣＳＧに属するか否かによらず、無条件でRA Responseを送信する。移動端末１２がＣＳＧに属するか否かの判定は、その後移動端末１２が送信するRRC Connection RequestのＭＭＥＣ（MME Code）に、特定の値が設定されているかどうかで行なう。
【００９１】
なお、本実施形態では、ＬＴＥ方式の無線（移動）通信システムを例に挙げて説明するが、本実施形態は、他方式の無線通信システムにも適用可能である。
本実施形態のシステム構成は、図４に示した上記の第一実施形態の構成と同じである。
本実施形態の無線通信システム１０も、図４に示すように、ハイブリッドセル対応基地局１１と、ハイブリッドセル１５のＣＳＧに属する優先端末１２と、ハイブリッドセル１５のＣＳＧに属さない非優先端末１３と、マクロセル１６に対応する基地局１４とを備える。
【００９２】
本実施形態においても、ハイブリッドセル対応基地局１１において輻輳状態が発生している状況において、優先端末１２が非優先端末１３よりも優先的にハイブリッドセル１５への接続が許可される。
図２３は、本実施形態におけるハイブリッドセル対応基地局１１の動作フローの一例を示すフローチャートである。
【００９３】
ハイブリッドセル対応基地局１１は、優先端末１２又は非優先端末１３からRA Preambleを受信すると（ステップＳ１０１’）、自身が現在輻輳状態であるかどうかを判定する（ステップＳ１０２）。
ここで、ハイブリッドセル対応基地局１１が輻輳状態であれば（ステップＳ１０２のＹｅｓルート）、ハイブリッドセル対応基地局１１は、輻輳状態を回避する（ステップ１１１）。
【００９４】
一方、ハイブリッドセル対応基地局１１が輻輳状態でなければ（ステップＳ１０２のＮｏルート）、ハイブリッドセル対応基地局１１は、RA Preambleを送信した移動端末が優先端末１２であるか否かを問わず、ステップＳ１０１において受信したRA Preambleを送信した移動端末に対してRA Responseを送信する（ステップＳ１０３’）。
次に、ハイブリッドセル対応基地局１１は、移動端末１２からRRC Connection Requestを受信する（ステップＳ１１２）。
【００９５】
ハイブリッドセル対応基地局１１は、RRC Connection Request内のパラメータに、移動端末１２が自身のＣＳＧに属する移動端末であることを示す特定の値（特定の情報に相当する）が設定されているか否かを判断する（ステップＳ１１３）。
ここで、RRC Connection Request内のパラメータが特定の値である場合（ステップＳ１１３のＹｅｓルート）、ハイブリッドセル対応基地局１１は、RRC Connection Setupを送信する（ステップＳ１１４）。
【００９６】
一方、RRC Connection Request内のパラメータが特定の値ではない場合（ステップＳ１１３のＮｏルート）、ハイブリッドセル対応基地局１１は、RRC Connection Rejectを送信する（ステップＳ１１５）。
ここで、ステップＳ１１３におけるRRC Connection Requestでの判定にはＭＭＥプールの中でＭＭＥを一意に示すための識別子であるＭＭＥＣ（MME Code）を使用する。ＭＭＥＣはRRC Connection RequestでＳ−ＴＭＳＩの一部として基地局に送信されるが、必須の項目ではなく、さらにRRC Connection Setup CompleteでもＭＭＥＣが基地局に送信されるため、ＭＭＥＣを利用することが可能である。
【００９７】
＜構成＞
図２４は、第２実施形態に係るハイブリッドセル対応基地局の機能構成の一例を示すブロック図である。
図２４に示すハイブリッドセル対応基地局１１は、一例として、ＤＳＰ１０１、ＣＰＵ１０２、有線接続部１０３、メモリ１０４、ＲＦ部１０５及び無線アンテナ１１１を備える。
【００９８】
ＤＳＰ１０１は、リアルタイム処理を行なうプロセッサであり、無線通信のスケジューリングなど、有線通信及び無線通信に係る所定の通信処理を行なう通信処理部１０６と、無線信号に含まれる情報を測定する無線信号測定部１１０とを備える。
ＣＰＵ１０２は、非リアルタイム処理を行なうプロセッサであり、例えば、メモリ１０４に格納されているプログラムを実行することにより各種処理を実行する。ＣＰＵ１０２は、情報の内部処理を行なう情報処理部１０７を備える。
【００９９】
有線接続部１０３は、有線ネットワークとの接続を行ない、例えば、イーサネット（登録商標）のアダプタ等である。
メモリ１０４は、ＣＳＧハイブリッドセル対応基地局１１において処理される情報を必要に応じて記憶する情報記憶部１０８を有する。メモリ１０４としては、例えば、ＲＡＭ、ＲＯＭ、不揮発性メモリ、揮発性メモリなど、既存のどのようなメモリを使用することができる。また、複数種類のメモリを備えていてもよい。
【０１００】
ＲＦ部１０５は、無線通信を行なうために、後述する無線アンテナ１１１を介して送受信された無線信号の送受信処理を行なう無線信号送受信部１０９を備える。
無線アンテナ１１１は、例えば、移動端末１２，１３、他の基地局、不図示のＭＭＥとの間で無線信号の送受信を行なう。
本実施形態においては、本実施形態における動作を実現するために、ＤＳＰ１１０の信号測定部１１０が、ＭＭＥＣ値判定部１１６（このＭＭＥＣ値判定部１１６は、前述の無線信号送受信部１０９とともに第２メッセージを受信する受信部に相当する）を備えるこのＭＭＥＣ値判定部１１６は、移動端末から受け取ったRRC Connection RequestのＭＭＥＣに、事前に決めた特殊な値（例えば、“ＦＦ”）が設定されている場合に、RRC Connection Requestを受け入れる。
【０１０１】
さらに、ＣＰＵ１０２の情報処理部１０７が、ＣＳＧ移動端末処理決定部１０７を備える。ＣＳＧ移動端末処理決定部１０７は、移動端末から受け取ったRRC Connection RequestのＭＭＥＣに事前に決めた特殊な値（例えば、“ＦＦ”）が設定されている場合に、その移動端末をＣＳＧ移動端末と判定して、RRC Connection処理を続行する。
図２５は、本実施形態における移動端末１２の機能構成の一例を示すブロックである。
【０１０２】
図２５に示す移動端末１２は、一例として、ＦＰＧＡ２０１、ＣＰＵ２０２、ＵＳＩＭ２０３、メモリ２０４、ＲＦ部２０５及び無線アンテナ２１１を備える。
ＦＰＧＡ２０１は、リアルタイム処理を行なうプロセッサであり、無線通信のスケジューリングなど無線通信に係る所定の通信処理を行なう信号処理部２０６と、無線信号に含まれる情報を測定する無線信号測定部２１０とを備える。
【０１０３】
ＣＰＵ２０２は、非リアルタイム処理を行なうプロセッサであり、例えば、メモリ２０４に格納されているプログラムを実行することにより各種処理を実行する。ＣＰＵ２０２は、情報の内部処理を行なう情報処理部２０７を備える。
ＵＳＩＭ２０３は、移動端末の利用者を識別するＩＣカードであり、移動端末１２に対して着脱可能である。ＵＳＩＭ２０３は、移動端末１２の電話番号や契約者の情報、無線通信事業者の情報等を記憶している情報記憶部２１１を備える。
【０１０４】
メモリ２０４は、移動端末１２において処理される情報を必要に応じて記憶する情報記憶部２０８を有する。メモリ２０４としては、例えば、ＲＡＭ、ＲＯＭ、不揮発性メモリ、揮発性メモリなど、既存のどのようなメモリを使用することができる。また、複数種類のメモリを備えていてもよい。
ＲＦ部２０５は、無線通信を行なうために、後述する無線アンテナ２１１を介して送受信された無線信号の送受信処理を行なう無線信号送受信部２０９（この無線信号送受信部２０９は、送信部及び受信部を構成する）を備える。
【０１０５】
無線アンテナ２１１は、例えば、基地局１１，１４との間で無線信号の送受信を行なう。
本実施形態においては、本実施形態における動作を実現するために、ＣＰＵ２０７の情報処理部２０７が、RRC Connection RequestのＭＭＥＣに、実際のＭＭＥＣの値ではなく、例えば“ＦＦ”を設定する特殊ＭＭＥＣ値設定部２１７（第２メッセージ生成部に相当する）を備える。
【０１０６】
次に、図２６（Ａ）〜（Ｄ）に、本実施形態に係るRRC Connection Requestの一例を示す。
図２６（Ａ）〜（Ｄ）では、移動端末１２の特殊ＭＭＥＣ値設定部２１７により、下線を付したパラメータＭＭＥＣに、例えば、値“ＦＦ”が設定される。
図２７（Ａ）〜（Ｃ）に、本実施形態に係るRRC Connection SetupCompleteの一例を示す。
【０１０７】
移動端末１２は、RRC Connection SetupCompleteにおいて、ハイブリッドセル対応基地局１１にＭＭＥＣを通知する。このRRC Connection SetupCompleteには、図２７（Ａ）〜（Ｃ）で下線を付したＭＭＥＣパラメータに、実際のＭＭＥＣの値が設定され、ハイブリッドセル対応基地局１１にRRC Connection SetupCompleteが送信される。
ハイブリッドセル対応基地局１１はＭＭＥに通知するInitial UE Messageを作成する際に、RRC Connection Requestに含まれていたＳ−ＴＭＳＩをそのまま使用せず、Ｓ−ＴＭＳＩの中のＭＭＥＣを、RRC Connection SetupCompleteのＭＭＥＣで置換したＳ−ＴＭＳＩを使用する。
【０１０８】
＜動作＞
次に、図２８を参照して、ハイブリッドセル対応基地局１１と移動端末１２との間における処理について説明する。
図２８は、本実施形態に係るハイブリッドセル対応基地局１１（ハイブリッドセル１５）と移動端末１２との間における処理フローの一例を示す図である。
【０１０９】
移動端末１２がRA Responseを受信すると、移動端末１２の特殊ＭＭＥＣ値設定部２１７は、ＭＭＥＣに実際の値ではなく特殊な値（例えばＦＦ）を設定してRRC Connection Requestを生成し（ステップＳ５１）、生成したRRC Connection Requestを基地局に送信する（ステップＳ５２）。
ハイブリッドセル対応基地局１１のＭＭＥＣ値判定部１１６は、RRC Connection SetupのＭＭＥＣが特殊な値である場合、移動端末１２がＣＳＧに属する移動端末であると判定し（ステップＳ５３）、RRC Connection Setupを移動端末１２に送信する（ステップＳ５４）。また、図示はしていないが、RRC Connection SetupのＭＭＥＣが特殊な値ではない場合、ハイブリッドセル対応基地局１１はRRC Connection Rejectを移動端末に送信する。
【０１１０】
移動端末１２のＣＳＧ移動端末処理決定部１０７は、ＭＭＥＣに実際の値を設定したRRC Connection Setup Completeを生成し、（ステップＳ５５）このRRC Connection Setup Completeをハイブリッドセル対応基地局１１に送信し、無線リソース制御接続を確立する（ステップＳ５６）。
ハイブリッドセル対応基地局１１は移動端末１２に対して接続を行ない（ステップＳ５７）、ＣＳＧに属する移動端末１２を、リソース配分、ＱｏＳ制御などに関して優先的に取り扱う。
【０１１１】
図２９は、第２実施形態における移動端末１２のコアネットワークへの接続フローを示す図である。
移動端末１２は、ハイブリッドセル対応基地局１１から送信される報知情報のＳＩＢ２に含まれるPRACH-ConfigSIBに基づいてRA Preambleを生成し、ハイブリッドセル対応基地局１１に送信する（ステップＳ８１）。
【０１１２】
ハイブリッドセル対応基地局１１は、移動端末１２にRA Responseを送信する（ステップＳ８２）。その際、ハイブリッドセル対応基地局１１は無条件にRA Responseを送信する。
移動端末１２の特殊ＭＭＥＣ値設定部２１７は、ＭＭＥＣに事前に決めた特殊な値（例えば、“ＦＦ”）を設定したRRC Connection Requestを生成する。移動端末１２の無線信号送受信部２０９は、ハイブリッドセル対応基地局１１に、そのRRC Connection Requestを送信する（ステップＳ８３）。このRRC Connection Requestは、基地局と接続したい移動端末が、基地局に対して無線リソースの割り当てを要求するためのメッセージである。
【０１１３】
ハイブリッドセル対応基地局１１のＭＭＥＣ値判定部１１６は、自身のＣＳＧに属する移動端末が使用する事前に決めた特殊なＭＭＥＣ（例えば、“ＦＦ”）が設定されていると判定する（ステップＳ８４）。
ハイブリッドセル対応基地局１１のＣＳＧ移動端末処理決定部１０７は、移動端末１２にRRC Connection Setupを送信する（ステップＳ８５）。
【０１１４】
次に、ハイブリッドセル対応基地局１１からRRC Connection Setupを受信した移動端末１２は、ＲＲＣ接続のセットアップを行ない、セットアップが完了するとハイブリッドセル対応基地局１１にRRC Connection Setupを送信する（ステップＳ８６）。その際、RRC Connection SetupCompleteのＭＭＥＣには、実際のＭＭＥＣの値を設定する。
移動端末１２からRRC Connection Setup Completeを受信したハイブリッドセル対応基地局１１は、ＨＳＳ（Home Subscriber Server）などの認証装置を含むコアネットワークにInitial UE（User Equipment）messageを送信する（ステップＳ８７）。その際、ハイブリッドセル対応基地局１１は、移動端末１２から受信したRRC Connection Requestに含まれていたＳ−ＴＭＳＩをそのまま使用せず、Ｓ−ＴＭＳＩの中のＭＭＥＣを、RRC Connection SetupCompleteのＭＭＥＣで置換したＳ−ＴＭＳＩを使用する。これにより、移動端末１２とコアナットワーク間のシグナリング接続が確立される。
【０１１５】
なお、上記第２実施形態において、RRC Connection SetupのＭＭＥＣに設定する値は、ＭＭＥの実際のＭＭＥＣの値と重複しない限り、ＦＦ”以外のどのような値でもよい。
また、RRC Connection Requestの中のＭＭＥＣを、当該移動端末がＣＳＧに属するか否かの判定に使用したが、ＣＳＧセル／ハイブリッドセルにおいて、ＭＭＥＣの０〜２５５の一部範囲を使用して、ＣＳＧに属する複数の移動端末間の優先順位付けを行なってもよい。
【０１１６】
例えば、RRC Connection Requestの中のＭＭＥＣの値が“ＦＦ”の移動端末が最高優先度の移動端末、“ＦＥ”の移動端末は優先度が二番目に高い移動端末とすることが考えられる。
上述した第２実施形態によれば、移動端末１２からRA Preambleを受信したハイブリッドセル対応基地局１１が、当該移動端末がＣＳＧに属するか否かによらず、無条件でRA Responseを送信し、その後移動端末１２が送信する、ＭＭＥＣ（MME Code）に特定の値が設定されたRRC Connection Requestにより、当該移動端末１２がＣＳＧに属するか否かを判定する。これにより、上記の第１実施形態と同様にＣＳＧに属する優先端末１２に対しＣＳＧセルに優先的に接続を許可しながら、全体として基地局１１の無線リソースを有効に活用することができる。
【０１１７】
〔３〕第３実施形態
＜概要＞
本実施形態は、第１実施形態と第２実施形態とを組み合わせたものである。
可能性は低いもの、隣接セルからハンドオーバしてくる移動端末（非優先端末）などが送信するRA Preambleが、ＣＳＧに属する移動端末（優先端末）１２の使用する特別なRA Preambleと重複することが考えられる。
【０１１８】
そのためRA Preambleのみで、そのRA Preambleを送信した移動端末がＣＳＧに属する移動端末であると判断して処理を進めると、実際にはその移動端末が優先端末でなかった場合に、コアネットワークでのＣＳＧの認証まで処理が進んでしまう。
このような処理の無駄をなくすため、第１実施形態と第２実施形態とを組み合わせ、RRC Connection Requestにおいても、移動端末が優先端末であるか否かを判断することが有効である。
【０１１９】
すなわち、移動端末１２が、ハイブリッドセル１５のＣＳＧに属する移動端末である場合に、移動端末１２の特殊な値を設定し、RRC Connection Requestを送信する。そして、ハイブリッドセル対応基地局１１は、その特殊な値のパラメータを持つRRC Connection Requestを受信することで、その可能性を再度判断する。このようにすることで、ＣＳＧに属する移動端末であるか否かの判断の精度を上げることが可能となる。
【０１２０】
本実施形態のシステム構成は、図４に示した上記の第一実施形態の構成と同じである。
本実施形態の無線通信システム１０も、図４に示すように、ハイブリッドセル対応基地局１１と、ハイブリッドセル１５のＣＳＧに属する優先端末１２と、ハイブリッドセル１５のＣＳＧに属さない非優先端末１３と、マクロセル１６に対応する基地局１４とを備える。
【０１２１】
本実施形態においても、ハイブリッドセル対応基地局１１において輻輳状態が発生している状況において、優先端末１２が非優先端末１３よりも優先的にハイブリッドセル１５への接続が許可される。
＜構成＞
図３０は、第３実施形態に係るハイブリッドセル対応基地局の機能構成の一例を示すブロック図である。
【０１２２】
なお、本実施形態では、ＬＴＥ方式の無線（移動）通信システムを例に挙げて説明するが、本実施形態は、他方式の無線通信システムにも適用可能である。
図３０に示すハイブリッドセル対応基地局１１は、一例として、ＤＳＰ１０１、ＣＰＵ１０２、有線接続部１０３、メモリ１０４、ＲＦ部１０５及び無線アンテナ１１１を備える。
【０１２３】
ＤＳＰ１０１は、リアルタイム処理を行なうプロセッサであり、無線通信のスケジューリングなど、有線通信及び無線通信に係る所定の通信処理を行なう通信処理部１０６と、無線信号に含まれる情報を測定する無線信号測定部１１０とを備える。
ＣＰＵ１０２は、非リアルタイム処理を行なうプロセッサであり、例えば、メモリ１０４に格納されているプログラムを実行することにより各種処理を実行する。ＣＰＵ１０２は、情報の内部処理を行なう情報処理部１０７を備える。
【０１２４】
有線接続部１０３は、有線ネットワークとの接続を行ない、例えば、イーサネット（登録商標）のアダプタ等である。
メモリ１０４は、ＣＳＧハイブリッドセル対応基地局１１において処理される情報を必要に応じて記憶する情報記憶部１０８を有する。情報記憶部１０８は、図８を参照して前述したようなＳＩＢ情報１１４を記憶している。メモリ１０４としては、例えば、ＲＡＭ、ＲＯＭ、不揮発性メモリ、揮発性メモリなど、既存のどのようなメモリを使用することができる。また、複数種類のメモリを備えていてもよい。
【０１２５】
ＲＦ部１０５は、無線通信を行なうために、後述する無線アンテナ１１１を介して送受信された無線信号の送受信処理を行なう無線信号送受信部１０９を備える。
無線アンテナ１１１は、例えば、移動端末１２，１３、他の基地局、不図示のＭＭＥとの間で無線信号の送受信を行なう。
本実施形態においては、本実施形態における動作を実現するために、ＤＳＰ１０１の無線信号測定部１１０は、RA Preamble判定部１１２（このRA Preamble判定部１１２は、前述の無線信号送受信部１０９とともに第１メッセージを受信する受信部に相当する）を備える。このRA Preamble判定部１１２は、通常のRA Preambleとは別に、移動端末１２によって生成され、移動端末１２がＣＳＧに属することを示す特殊なRA Preambleを受信する。
【０１２６】
さらに、ＤＳＰ１０１の無線信号測定部１１０は、移動端末から受信したRA Preambleが特殊なRA Preambleであった場合、輻輳制御を行わずに、そのRA Preambleの送信元の移動端末１２にRA Responseを送信するRA Response送信決定部１１３（このRA Response送信決定部１１３は、前述の無線信号送受信部１０９とともに送信部に相当する）も備える。
【０１２７】
また、ＤＳＰ１１０の信号測定部１１０が、ＭＭＥＣ値判定部１１６（このＭＭＥＣ値判定部１１６は、前述の無線信号送受信部１０９とともに第２メッセージを受信する受信部に相当する）を備えるこのＭＭＥＣ値判定部１１６は、移動端末から受け取ったRRC Connection RequestのＭＭＥＣに事前に決めた特殊な値（例えば、“ＦＦ”）が設定されている場合に、RRC Connection Requestを受け入れる。
【０１２８】
さらに、ＣＰＵ１０２の情報処理部１０７が、ＣＳＧ移動端末処理決定部１１５を備える。ＣＳＧ移動端末処理決定部１１５は、移動端末から受け取ったRRC Connection RequestのＭＭＥＣに事前に決めた特殊な値（例えば、“ＦＦ”）が設定されている場合に、その移動端末をＣＳＧ移動端末と判定してRRC Connection処理を続行する。
図３１は、本実施形態における移動端末１２の機能構成の一例を示すブロックである。
【０１２９】
図３１に示す移動端末１２は、一例として、ＦＰＧＡ２０１、ＣＰＵ２０２、ＵＳＩＭ２０３、メモリ２０４、ＲＦ部２０５及び無線アンテナ２１１を備える。
ＦＰＧＡ２０１は、リアルタイム処理を行なうプロセッサであり、無線通信のスケジューリングなど無線通信に係る所定の通信処理を行なう信号処理部２０６と、無線信号に含まれる情報を測定する無線信号測定部２１０とを備える。
【０１３０】
ＣＰＵ２０２は、非リアルタイム処理を行なうプロセッサであり、例えば、メモリ２０４に格納されているプログラムを実行することにより各種処理を実行する。ＣＰＵ２０２は、情報の内部処理を行なう情報処理部２０７を備える。
ＵＳＩＭ２０３は、移動端末の利用者を識別するＩＣカードであり、移動端末１２に対して着脱可能である。ＵＳＩＭ２０３は、移動端末１２の電話番号や契約者の情報、無線通信事業者の情報等を記憶している情報記憶部２１１を備える。
【０１３１】
メモリ２０４は、移動端末１２において処理される情報を必要に応じて記憶する情報記憶部２０８を有する。メモリ２０４としては、例えば、ＲＡＭ、ＲＯＭ、不揮発性メモリ、揮発性メモリなど、既存のどのようなメモリを使用することができる。また、複数種類のメモリを備えていてもよい。
ＲＦ部２０５は、無線通信を行なうために、後述する無線アンテナ２１１を介して送受信された無線信号の送受信処理を行なう無線信号送受信部２０９（この無線信号送受信部２０９は、送信部及び受信部を構成する）を備える。
【０１３２】
無線アンテナ２１１は、例えば、基地局１１，１４との間で無線信号の送受信を行なう。
本実施形態においては、本実施形態における動作を実現するために、ＦＰＧＡ２０１の無線信号測定部２１０は、ＳＩＢ情報読取部２１２を備える。ＳＩＢ情報読取部２１２は、ハイブリッドセル対応基地局１１から送信される報知情報ＳＩＢ２に含まれるPRACH-ConfigSIB-Hybridを読み取る。
【０１３３】
さらに、ＦＰＧＡ２０１の通信処理部２０６は、ＳＩＢ情報読取部２１２が読み取ったパラメータを用いて、移動端末１２がＣＳＧに属することを示す特殊なRA Preambleを生成する特殊RA Preamble生成部２１３（この特殊RA Preamble生成部２１３は、第１メッセージ生成部に相当する）を備える。
また、ＣＰＵ２０７の情報処理部２０７が、RRC Connection RequestのＭＭＥＣに、実際のＭＭＥＣの値ではなく、例えば、“ＦＦ”を設定する特殊ＭＭＥＣ値設定部２１７（第２メッセージ生成部に相当する）を備える。
【０１３４】
なお、上記の第３実施形態は、前述の第１実施形態と第２実施形態との組み合わせであるが、第１実施形態の第１変形例又は第２変形例と第２実施形態とを組み合わせてもよい。
＜動作＞
図３２は、第３実施形態における移動端末１２のコアネットワークへの接続フローを示す図である。
【０１３５】
移動端末１２のＳＩＢ情報読取部２１２は、ハイブリッドセル対応基地局１１から送信される報知情報のＳＩＢ２に含まれるPRACH-ConfigSIB-Hybridに基づいて特殊なRA Preambleを生成する。移動端末１２の無線信号送受信部２０９は、このRA Preambleをハイブリッドセル対応基地局１１に送信する（ステップＳ６１）。
ハイブリッドセル対応基地局１１のRA Preamble判定部１１２は、この特殊なRA Preambleを受信すると、このRA Preambleが、自身のＣＳＧに属する移動端末が使用するRA Preambleであると判定する（ステップＳ６２）。
【０１３６】
ハイブリッドセル対応基地局１１のRA Response送信決定部１１３は、輻輳制御を行なわず、移動端末１２にRA Responseを送信する（ステップＳ６３）。
移動端末１２の特殊ＭＭＥＣ値設定部２１７は、ＭＭＥＣに事前に決めた特殊な値（例えば、“ＦＦ”）を設定したRRC Connection Requestを生成する。移動端末１２の無線信号送受信部２０９は、ハイブリッドセル対応基地局１１に、そのRRC Connection Requestを送信する（ステップＳ６４）。このRRC Connection Requestは、基地局と接続したい移動端末が、基地局に対して無線リソースの割り当てを要求するためのメッセージである。
【０１３７】
ハイブリッドセル対応基地局１１のＭＭＥＣ値判定部１１６は、自身のＣＳＧに属する移動端末が使用する事前に決めた特殊なＭＭＥＣ（例えば、“ＦＦ”）が設定されていると判定する（ステップＳ６５）。
ハイブリッドセル対応基地局１１のＣＳＧ移動端末処理決定部１０７は、移動端末１２にRRC Connection Setupを送信する（ステップＳ６６）
次に、ハイブリッドセル対応基地局１１からRRC Connection Setupを受信した移動端末１２は、ＲＲＣ接続のセットアップを行ない、セットアップが完了するとハイブリッドセル対応基地局１１にRRC Connection Setupを送信する（ステップＳ６７）。
【０１３８】
移動端末１２からRRC Connection Setup Completeを受信したハイブリッドセル対応基地局１１は、ＨＳＳ（Home Subscriber Server）などの認証装置を含むコアネットワークにInitial UE（User Equipment）messageを送信する（ステップＳ６８）。その際、ハイブリッドセル対応基地局１１は、移動端末１２から受信したRRC Connection Requestに含まれていたＳ−ＴＭＳＩをそのまま使用せず、Ｓ−ＴＭＳＩの中のＭＭＥＣを、RRC Connection SetupCompleteのＭＭＥＣで置換したＳ−ＴＭＳＩを使用する。これにより、移動端末１２とコアナットワーク間のシグナリング接続が確立される。
【０１３９】
上述した第３実施形態によれば、ハイブリッドセル対応基地局１１が通常のRA Preambleとは異なるRA Preambleを受信した場合、優先端末１２によって無線リソースが輻輳していない限り、輻輳制御などを考慮せず、その移動端末に対してRA Responseを送信することができる。
さらに、その後移動端末１２が送信する、ＭＭＥＣに特定の値が設定されたRRC Connection Requestにより、当該移動端末１２がＣＳＧに属するか否かを判定する。これにより、ＣＳＧに属する移動端末であるか否かの判断の精度を上げることが可能となり、無線リソースをより一層有効に活用することができる。
【０１４０】
〔４〕その他
上記の各種実施形態及びその変形例においては、ハイブリッドセル対応基地局１１のＤＳＰ１０１が、プログラムを実行することにより、RA Preamble判定部１１２，１１２’１１２”、RA Response送信決定部１１３、１１３’、１１３”及びＭＭＥＣ値判定部１１６として機能するようになっている。
【０１４１】
また、ハイブリッドセル対応基地局１１のＣＰＵ１０７が、プログラムを実行することにより、ＣＳＧ移動端末処理機能決定部１１５として機能するようになっている。
さらに、移動端末１２のＦＰＧＡ２０１が、プログラムを実行することにより、ＳＩＢ情報読取部２１２，２１２’及び特殊RA Preamble生成部２１３、２１３’、２１３”として機能するようになっている。
【０１４２】
また、移動端末１２のＣＰＵ２０７が、プログラムを実行することにより、PRACH Config読み出し部２１４及び特殊ＭＭＥＣ値設定部２１７として機能するようになっている。
なお、これらの各機能を実現するためのプログラムは、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置又は外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【０１４３】
これらの各機能を実現する際には、内部記憶装置（上記実施形態及びその変形例ではメモリやＵＳＩＭ）に格納されたプログラムがコンピュータのプロセッサ（上記実施形態及びその変形例ではＤＳＰやＦＰＧＡ、ＣＰＵ）によって実行される。このとき、記録媒体に記録されたプログラムをコンピュータが読み取って実行するようにしてもよい。
なお、ハイブリッドセル対応基地局１１の上記各機能を、ＤＳＰ１０１、ＣＰＵ１０２で分担して実行したが、ＤＳＰ１０１あるいはＣＰＵ１０２が全ての機能を実行してもよい。
【０１４４】
また、移動端末１２の上記各機能を、ＰＧＦＡ２０１、ＣＰＵ２０２で分担して実行したが、ＰＧＦＡ２０１あるいはＣＰＵ２０２２が全ての機能を実行してもよい。
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のプロセッサと、記録媒体に記録されたコンピュータプログラムを読み取るための手段とをそなえており、上記実施形態及びその変形例においては、ハイブリッドセル対応基地局１１及び移動端末１２がコンピュータとしての機能を有しているのである。
【符号の説明】
【０１４５】
１０                        無線通信システム
１１                        ハイブリッドセル対応基地局（基地局）
１２                        優先端末（特定の移動端末）
１３                        非優先端末（移動端末）
１０９                      無線信号送受信部（受信部）
１０９                      無線信号送受信部（送信部）
１１２，１１２’，１１２”  RA Preamble判定部（受信部）
１１３，１１３’，１１３”  RA Response送信決定部（送信部）
２０９                      無線信号送受信部（受信部）
２０９                      無線信号送受信部（送信部）
２０３                      ＵＳＩＭ（記憶装置）
２０８，２１１              情報記憶部（記憶部）
２１３                      特殊RA Preamble生成部（第１メッセージ作成部）
２１７                      特殊ＭＭＥＣ値設定部（第２メッセージ作成部）
【図１】
2013084347.tif 000003
【図２】
2013084347.tif 000004
【図３】
2013084347.tif 000005
【図４】
2013084347.tif 000006
【図５】
2013084347.tif 000007
【図６】
2013084347.tif 000008
【図７】
2013084347.tif 000009
【図８】
2013084347.tif 000010
【図９】
2013084347.tif 000011
【図１０】
2013084347.tif 000012
【図１１】
2013084347.tif 000013
【図１２】
2013084347.tif 000014
【図１３】
2013084347.tif 000015
【図１４】
2013084347.tif 000016
【図１５】
2013084347.tif 000017
【図１６】
2013084347.tif 000018
【図１７】
2013084347.tif 000019
【図１８】
2013084347.tif 000020
【図１９】
2013084347.tif 000021
【図２０】
2013084347.tif 000022
【図２１】
2013084347.tif 000023
【図２２】
2013084347.tif 000024
【図２３】
2013084347.tif 000025
【図２４】
2013084347.tif 000026
【図２５】
2013084347.tif 000027
【図２６】
2013084347.tif 000028
【図２７】
2013084347.tif 000029
【図２８】
2013084347.tif 000030
【図２９】
2013084347.tif 000031
【図３０】
2013084347.tif 000032
【図３１】
2013084347.tif 000033
【図３２】
2013084347.tif 000034
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージであって前記特定の移動端末に特有の情報を有する第１メッセージを、前記基地局に対して、送信し、
前記基地局が、前記第１メッセージを受信すると、前記基地局は前記特定の移動端末に対して、接続開始移動端末存在メッセージに対する第１応答メッセージを送信することを特徴とする、無線通信システム。
【請求項２】
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージであって前記特定の移動端末に特有の情報を有する第１メッセージを、前記基地局に対して、送信し、
前記基地局が、前記第１メッセージを受信すると、前記基地局は前記特定の移動端末に対して、接続開始移動端末存在メッセージに対する第１応答メッセージを送信し、
さらに前記特定の移動端末が、前記第１応答メッセージを受信したあとに、無線リソース割り当て要求メッセージであって前記特定の移動端末に特有の情報を有する第２メッセージを、前記基地局に対して、送信し、
前記基地局が、前記第２メッセージを受信すると、前記基地局は前記特定の移動端末に対して、無線リソース割り当て要求メッセージに対する第２応答メッセージを送信することを特徴とする、無線通信システム。
【請求項３】
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージの送信後に前記接続開始移動端末存在メッセージに対する応答メッセージを受信した場合に、無線リソース割り当て要求メッセージであって前記特定の移動端末に特有の情報を有する第２メッセージを、前記基地局に対して、送信し、
前記基地局が、前記第２メッセージを受信すると、前記基地局は前記特定の移動端末に対して、無線リソース割り当て要求メッセージに対する第２応答メッセージを送信することを特徴とする、無線通信システム。
【請求項４】
前記基地局が、前記第１メッセージ作成用の報知メッセージを送信し、
前記特定の移動端末が、受信した前記報知メッセージに基づいて、前記第１メッセージを作成し、その後、作成した前記第１メッセージを、前記基地局に対して、送信することを特徴とする、請求項１又は請求項２に記載の無線通信システム。
【請求項５】
前記基地局が、前記第１メッセージ作成用の報知メッセージに関する情報を記憶する記憶部を有することを特徴とする、請求項４に記載の無線通信システム。
【請求項６】
前記特定の移動端末が、前記第１メッセージ作成用情報を記憶する記憶部を有することを特徴とする、請求項１又は請求項２に記載の無線通信システム。
【請求項７】
請求項１記載の無線通信システムに用いられる特定の移動端末であって、
接続を開始したい移動端末の存在を示す接続開始移動端末存在を示す接続開始移動端末存在メッセージであって前記特定の移動端末に特有の情報を有する第１メッセージを作成する第１メッセージ作成部と、
前記第１メッセージ作成部で作成された前記第１メッセージを前記基地局に対して送信する送信部とをそなえて構成されたことを特徴とする、移動端末。
【請求項８】
前記第１メッセージ作成部が、前記基地局から送信されてくる、前記第１メッセージ作成用の報知メッセージに関する情報を用いて、前記第１メッセージを作成するように構成されたことを特徴とする、請求項７に記載の移動端末。
【手続補正２】
【補正対象書類名】明細書
【補正対象項目名】０１４４
【補正方法】変更
【補正の内容】
【０１４４】
また、移動端末１２の上記各機能を、ＦＰＧＡ２０１、ＣＰＵ２０２で分担して実行したが、ＦＰＧＡ２０１あるいはＣＰＵ２０２が全ての機能を実行してもよい。
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のプロセッサと、記録媒体に記録されたコンピュータプログラムを読み取るための手段とをそなえており、上記実施形態及びその変形例においては、ハイブリッドセル対応基地局１１及び移動端末１２がコンピュータとしての機能を有しているのである。
〔５〕付記
以上の実施形態に関し、さらに以下の付記を開示する。
（付記１）
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージであって前記特定の移動端末に特有の情報を有する第１メッセージを、前記基地局に対して、送信し、
前記基地局が、前記第１メッセージを受信すると、前記基地局は前記特定の移動端末に対して、接続開始移動端末存在メッセージに対する第１応答メッセージを送信することを特徴とする、無線通信システム。
（付記２）
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージであって前記特定の移動端末に特有の情報を有する第１メッセージを、前記基地局に対して、送信し、
前記基地局が、前記第１メッセージを受信すると、前記基地局は前記特定の移動端末に対して、接続開始移動端末存在メッセージに対する第１応答メッセージを送信し、
さらに前記特定の移動端末が、前記第１応答メッセージを受信したあとに、無線リソース割り当て要求メッセージであって前記特定の移動端末に特有の情報を有する第２メッセージを、前記基地局に対して、送信し、
前記基地局が、前記第２メッセージを受信すると、前記基地局は前記特定の移動端末に対して、無線リソース割り当て要求メッセージに対する第２応答メッセージを送信することを特徴とする、無線通信システム。
（付記３）
移動端末と、該移動端末に比べ優先的な通信が可能な特定の移動端末と、
上記の両移動端末のアクセスを許容する基地局とを有する無線通信システムにおいて、
前記特定の移動端末が、接続を開始したい移動端末の存在を示す接続開始移動端末存在メッセージの送信後に前記接続開始移動端末存在メッセージに対する応答メッセージを受信した場合に、無線リソース割り当て要求メッセージであって前記特定の移動端末に特有の情報を有する第２メッセージを、前記基地局に対して、送信し、
前記基地局が、前記第２メッセージを受信すると、前記基地局は前記特定の移動端末に対して、無線リソース割り当て要求メッセージに対する第２応答メッセージを送信することを特徴とする、無線通信システム。
（付記４）
前記基地局が、前記第１メッセージ作成用の報知メッセージを送信し、
前記特定の移動端末が、受信した前記報知メッセージに基づいて、前記第１メッセージを作成し、その後、作成した前記第１メッセージを、前記基地局に対して、送信することを特徴とする、付記１又は付記２に記載の無線通信システム。
（付記５）
前記基地局が、前記第１メッセージ作成用の報知メッセージに関する情報を記憶する記憶部を有することを特徴とする、付記４に記載の無線通信システム。
（付記６）
前記特定の移動端末が、前記第１メッセージ作成用情報を記憶する記憶部を有することを特徴とする、付記１又は付記２に記載の無線通信システム。
（付記７）
付記１記載の無線通信システムに用いられる特定の移動端末であって、
接続を開始したい移動端末の存在を示す接続開始移動端末存在を示す接続開始移動端末存在メッセージであって前記特定の移動端末に特有の情報を有する第１メッセージを作成する第１メッセージ作成部と、
前記第１メッセージ作成部で作成された前記第１メッセージを前記基地局に対して送信する送信部とをそなえて構成されたことを特徴とする、移動端末。
（付記８）
付記２記載の無線通信システムに用いられる特定の移動端末であって、
接続を開始したい移動端末の存在を示す接続開始移動端末存在を示す接続開始移動端末存在メッセージであって前記特定の移動端末に特有の情報を有する第１メッセージを作成する第１メッセージ作成部と、
前記第１メッセージ作成部で作成された前記第１メッセージを前記基地局に対して送信する送信部とをそなえ、
さらに、前記第１応答メッセージを該基地局から受信したあとに、無線リソース割り当て要求メッセージであって前記特定の移動端末に特有の情報を有する第２メッセージを作成する第２メッセージ作成部と、
前記第２メッセージ作成部で作成された前記第２メッセージを、前記基地局に対して、送信する送信部とをそなえて構成されたことを特徴とする、移動端末。
（付記９）
付記３記載の無線通信システムに用いられる特定の移動端末であって、
接続を開始したい移動端末の存在を示す接続開始移動端末存在メッセージの送信後に該接続開始移動端末存在メッセージに対する応答メッセージを受信した場合に、無線リソース割り当て要求メッセージであって前記特定の移動端末に特有の情報を有する第２メッセージを作成する第２メッセージ作成部と、
前記第２メッセージ作成部で作成された前記第２メッセージを、前記基地局に対して、送信する送信部とをそなえて構成されたことを特徴とする、移動端末。
（付記１０）
前記第１メッセージ作成部が、前記基地局から送信されてくる、前記第１メッセージ作成用の報知メッセージに関する情報を用いて、前記第１メッセージを作成するように構成たことを特徴とする、付記７又は付記８に記載の移動端末。
（付記１１）
第１メッセージ作成用情報を記憶する記憶部を有し、
前記第１メッセージ作成部が、前記記憶部に記憶されている前記第１メッセージ作成用情報を用いて、前記第１メッセージを作成するように構成されたことを特徴とする、付記７又は付記８に記載の移動端末。
（付記１２）
前記記憶部が、前記特定の移動端末に対して着脱自在の記憶部として構成されていることを特徴とする、付記１１に記載の移動端末。
（付記１３）
付記１記載の無線通信システムに用いられる基地局であって、
前記第１メッセージを受信する受信部と、
前記受信部で前記第１メッセージを受信すると、前記特定の移動端末に対して、接続開始移動端末存在メッセージに対する第１応答メッセージを送信する送信部とをそなえて構成されたことを特徴とする、基地局。
（付記１４）
付記２記載の無線通信システムに用いられる基地局であって、
前記第１メッセージを受信する受信部と、
前記受信部で前記第１メッセージを受信すると、前記特定の移動端末に対して、接続開始移動端末存在メッセージに対する第１応答メッセージを送信する送信部とを備えるともに、
さらに前記該第２メッセージを受信する受信部と、
前記受信部で前記第２メッセージを受信すると、前記特定の移動端末に対して、無線リソース割り当て要求メッセージに対する第２応答メッセージを送信する送信部とをそなえて構成されたことを特徴とする、基地局。
（付記１５）
付記３記載の無線通信システムに用いられる基地局であって、
前記該第２メッセージを受信する受信部と、
前記受信部で前記第２メッセージを受信すると、前記特定の移動端末に対して、無線リソース割り当て要求メッセージに対する第２応答メッセージを送信する送信部とをそなえて構成されたことを特徴とする、基地局。
（付記１６）
前記第１メッセージ作成用の報知メッセージに関する情報を記憶する記憶部を有するとともに、前記記憶部に記憶されている上記の第１メッセージ作成用の報知メッセージに関する情報に基づいて上記の第１メッセージ作成用の報知メッセージを送信する送信部を有することを特徴とする、付記１３又は付記１４に記載の基地局。
（付記１７）
付記１１記載の移動端末に用いられる記憶装置であって、
前記第１メッセージ作成用情報を記憶する記憶部をそなえ、
前記記憶部が、前記第１メッセージ作成用情報を保持可能なディレクトリ構造を有していることを特徴とする、移動端末用記憶装置。
【国際調査報告】
2013084347.tif 000035
2013084347.tif 000036